(57)【特許請求の範囲】
【請求項１】
フロアプレートの中央部に運転席を配置し、この運転席の背面にカバーによって少なくとも上方が掩蔽されたエアコンユニットを配置し、このエアコンユニットの上方に背面ダクトを配置した建設機械のキャブにおいて、
前記背面ダクトは、前記エアコンユニットに接続された基部ダクトと、前記カバーに接続された端部ダクトと、前記基部ダクトと前記端部ダクトを接続する接続材とを有し、
前記エアコンユニットの上方の前記基部ダクトの側方にフィルター類、電装部品等の保守作業対象を配置し、
前記カバーが該カバーに接続された端部ダクトと一体的に前記エアコンユニットから取り外されることにより、前記フィルター類の交換・清掃や前記電装部品の調整といった保守作業の少なくとも一つを行うことができるようにしたことを特徴とする建設機械のキャブ。
【請求項２】
前記カバーの後面に調温収納庫が設けられており、この調温収納庫に前記エアコンユニットから導出された調温用ホースが接続されており、この調温用ホースが前記カバーと前記端部ダクトとを一体的に取り外した際に前記調温収納庫から取り外す必要がない程度の長さとされていることを特徴とする請求項１記載の建設機械のキャブ。
【発明の詳細な説明】
【０００１】
【発明の属する技術分野】
この発明は、エアコンユニットを運転席の背面に配置した建設機械のキャブに関する。
【０００２】
【従来の技術】
図３は、本発明が適用される建設機械の一例として、一般的な油圧ショベルの側面図を示したものである。図３において、油圧ショベルは、一対のクローラを備えた下部走行体５１と、この下部走行体５１の上部に旋回自在に搭載された上部旋回体５２と、この上部旋回体５２の前部に起伏自在に取り付けられたアタッチメント５３とからなる。上部旋回体５２は、キャブ５４、エンジン、カウンタウエイト等がフロアプレート５５の上に搭載されて構成されている。近年、夏期および冬期の居住性を向上するために、キャブ５４にはエアコンが標準的に装備されている。
【０００３】
このキャブ５４の内部を図４に模式的に示す。図４において、フロアプレート５５の上面後部には、エアコンユニット５６が搭載されており、フロアプレート５５の上面中央部には、運転席５７が搭載されている。油圧ショベル等の建設機械では、キャブ５４の前部に備えられたフロントウインドウを通して運転席５７に着座したオペレータが作業状態を視認するので、フロントウインドウを可能な限り広くとるのが望ましい。このため、エアコンユニット５６は、通常運転席５７の背面に設置されている。また、エアコンユニット５６の上部は、デザインおよび安全上の観点からカバー６１で覆われている。
【０００４】
このエアコンユニットで作り出した冷気Ａまたは暖気Ｂは、フェイス用吹出口５８、フット用吹出口５９、背面吹出口６０から吹き出される。一般に、冷気は下降し暖気は上昇するので、冷気Ａはフェイス用吹出口５８と背面吹出口６０とから主として吹き出され、暖気Ｂはフット用吹出口５９から主として吹き出される。また、背面吹出口６０とエアコンユニット５６との間は、背面ダクト６２によって連結されている。
【０００５】
さらに、エアコンユニット５６の上方であって、背面吹出口６０の間には調温収納庫６２が設けられている。この調温収納庫６２には、エアコンユニット５６からの冷気または暖気が導入可能とされている。これにより、調温収納庫６２で冷たい清涼飲料を保管したり、暖かい弁当を保管することができるようにされている。
【０００６】
なお、キャブ内におけるエアコンの背面ダクトの構造を示す従来技術としては、特開平９−３１６９３３号に開示されたものがある。しかし、この従来技術では、背面ダクトの取り外しは何ら考慮されていない。また、エアコンユニット上方に収納庫を設けた従来技術としては、特開平５−７９０５８号がある。しかし、この従来技術では、背面吹出口用の背面ダクトが存在していない。
【０００７】
【発明が解決しようとする課題】
ところで、エアコンユニット５６は、内気フィルタや外気フィルター等のフィルター類の交換・清掃が定期的に必要であり、コントロールパネル等の電装部品の調整も必要である。したがって、オペレータが定期的に交換・清掃・調整といった保守作業を行なう必要がある。
【０００８】
従来においては、このような交換・清掃・調整といった保守作業を行なう際には、カバー６１と背面ダクト６２とを個別にエアコンユニット５６から取り外しておこなわなければならなかった。この保守作業を行なうには、運転席５７が邪魔となり、作業者が運転席５７の上から身を乗り出すという不安定な状態で、この保守作業を行なわざるを得なかった。さらに、キャブ５４の内部空間は狭く、このことも保守作業を困難なものとしていた。以上のようなことから、この保守作業が、煩雑で長時間かかる作業となっており、エアコンの能力維持に必要な保守作業が疎かにされがちであるという問題が生じていた。
【０００９】
そこで本発明は、このような事情に鑑み、エアコンユニットの背面ダクトとカバーとを一体的に取り外すことにより、エアコンの能力維持に必要な保守作業を簡単かつ短時間で可能とすることができる建設機械のキャブを提供することを目的とする。
【００１０】
【課題を解決するための手段】
本発明に係る建設機械のキャブは、フロアプレートの中央部に運転席を配置し、この運転席の背面にカバーによって少なくとも上方が掩蔽されたエアコンユニットを配置し、このエアコンユニットの上方に背面ダクトを配置した建設機械のキャブにおいて、前記背面ダクトは、前記エアコンユニットに接続された基部ダクトと、前記カバーに接続された端部ダクトと、前記基部ダクトと前記端部ダクトを接続する接続材とを有し、前記エアコンユニットの上方の前記基部ダクトの側方にフィルター類、電装部品等の保守作業対象を配置し、前記カバーが該カバーに接続された端部ダクトと一体的に前記エアコンユニットから取り外されることにより、前記フィルター類の交換・清掃や前記電装部品の調整といった保守作業の少なくとも一つを行うことができるようにしている。
【００１１】
本発明によれば、背面ダクトが接離自在に少なくとも２分割されており、カバーがこのカバーに接続された少なくとも一つの背面ダクトと一体的にエアコンユニットから取り外し可能とされているので、フィルター類の交換・清掃や電装部品の調整といった保守作業をする際に、背面ダクトとカバーとを非常に容易かつ短時間で取り外すことができる。これにより、エアコンの保守作業を容易にすることできる。
【００１２】
また、請求項２に係る発明のように、カバーの後面に調温収納庫が設けた場合には、この調温収納庫に前記エアコンユニットから導出された調温用ホースが接続されており、この調温用ホースが前記カバーと前記端部ダクトとを一体的に取り外した際に前記調温収納庫から取り外す必要がない程度の長さとすることが望ましい。
【００１３】
この場合、調温収納庫に冷たい清涼飲料や暖かい弁当等を保管しておくことができ、建設機械のオペレータの利便性と快適性を高めることができる。さらに、カバーと背面ダクトとを一体的に取り外す際に、調温用ホースが伸びることによって調温用ホースを調温収納庫から取り外す必要がないので、エアコンの保守作業の簡単さを低下させることがない。
【００１４】
【発明の実施の形態】
本発明の好ましい実施の形態を図面を参照しつつ説明する。
【００１５】
図１は、本発明に係るキャブのエアコンを示した側面図であり、図２は、その正面図である。なお、図１および図２は、本発明に関わる部分を重点的に示しており、本発明と関係の薄い部分は省略または簡略化している。また、図１および図２は、本発明が適用される建設機械の一例として、油圧ショベルの場合を示している。
【００１６】
図１および図２において、１１は油圧ショベルの上部旋回体に載置支持されたフロアプレートである。このフロアプレート１１の上にキャブ１２が上方から組み付けられている。
【００１７】
このフロアプレート１１の上面中央部には、運転席１４が搭載されている。また、このフロアプレート１１の上面後部すなわち運転席の背面には、エアコンユニット１３が搭載されている。さらに、この運転席１４の両側には、コンソールパネルを有する可倒式操作レバー１５が設けられている。また、運転席１４は、そのシート部分が前後に移動可能とされており、その背もたれ部分が前後に倒伏可能とされている。これにより、エアコンユニット１３の保守作業を行なう際には、背もたれ部分を前に倒し、シート部分を前に移動させることで、保守作業のスペースを拡大することができる。
【００１８】
また、エアコンユニット１３の側部から、デフ用ダクト１４とフェイス用ダクト１５とが、フロアプレート１１の前方に向けて導出されている。図１では図示省略しているが、デフ用ダクト１４の先端開口部分はフロントウインドウに向けられ、フェイス用ダクト１５の先端開口部分は運転席１４に着座したオペレータの顔面方向に向けられている。このフェイス用ダクト１５からは、主として冷気が吹き出される。さらに、エアコンユニット１３の前面から、運転席１４の下部に向かって延びる足部ダクト１６が備えられている。この足部ダクト１６は、先端部が偏平に形成されており、運転席１４の下方を通してオペレータの足部にエアコンからの吹出エアを吹き付ける。この足部ダクト２０からは、主として暖気が吹き出される。
【００１９】
次に、エアコンユニット１３の上面には、内気フィルター１７が取り外し可能に装着されている。また、エアコンユニット１３の後部には、外気フィルター１８が匡体に収納されて配置されている。内気フィルター１７は、エアコンの送風経路をキャブ内で循環するように設定した場合に、エアコンユニット１３へ吸入した内気を瀘過するのに使用される。また、外気フィルター１８は、エアコンの送風経路を外気を取り入れるように設定した場合に、エアコンユニット１３へ吸入した外気を瀘過するのに使用される。この内気フィルター１７と外気フィルター１８は、エアコンの作動によって塵や埃が付着するので、２００〜３００時間に一度程度の割合で取り出し、エアブローなどによって付着した異物を取り除く必要がある。また、その径年劣化が進んだ場合は新品に交換する必要がある。なお、この実施形態の場合は、内気フィルター１７は、エアコンユニット１３の上方から取り外し、外気フィルター１８は、キャブ１２の外側から取り外し可能とされているが、外気フィルター１８をエアコンユニット１３の上方から取り外し可能とするようにしてもよい。また、内気フィルター１７と外気フィル
ター１８のエアコンユニット１３への取り付け位置もこの実施形態の場合に限定されない。
【００２０】
また、エアコンユニット１３の上面中央部には、コントロールユニット１９が装着されている。この実施形態の場合、エアコンユニット１３の電気的な調整は、エアコンユニット１３の上方から、コントロールユニット１９のスイッチ・キーパネル等を操作しておこなう。なお、コントロールユニット１９のエアコンユニット１３への取り付け位置は、この実施形態の場合に限定されず、エアコンユニット１３のどこに取り付けてもかまわない。
【００２１】
さらに、エアコンユニット１３の上部には、背面ダクトが接続されている。この背面ダクトは、筒柱状の基部ダクト２０と、この基部ダクト２０に接続材２１（例えばウレタン樹脂等）を介して接離自在に接続された二股状の端部ダクト２２とから形成されている。この端部ダクト２２の両方の端部には各々吹出口２３が形成されており、この吹出口２３から主として冷気が吹き出される。この実施形態の場合は、端部ダクト２２を二股状としたが、この端部ダクト２２の形状はこれに限定されず、単純な筒状でもかまわない。
【００２２】
また、エアコンユニット１３の上方に配置された背面ダクトのうち端部ダクト２２は、エアコンユニット１３のカバー２４に接続されている。このカバー２４は、キャブ１２のインテリアデザインの観点と、エアコンユニット１３の保護という観点から、エアコンユニット１３の上方を掩蔽している。このカバー２４は、端部ダクト２２と一体的に接続されており、内気フィルター１７やコントロールユニット１９の保守作業の際には、カバー２４と端部ダクト２２とが、接続材２１の部分で基部ダクト２０から切り離され、基部ダクト２０をエアコンユニット１３に残した状態で一体的に上方に取り外される。
【００２３】
この実施形態の場合、背面ダクトを基部と端部に２分割したが、３分割以上にしてもかまわない。
【００２４】
また、カバー２４の下部であって、エアコンユニットの前方には、取り外し自在な前面カバー２５が取り付けられている。この前面カバー２５は、カバー２４を端部ダクト２２と一体的に取り外した際にもエアコンユニット１３の側に残るようになっているが、カバー２４と一体的に取り外されるようにしてもかまわない。
【００２５】
さらに、この実施形態の場合は、エアコンユニット１３の上面と前面とをカバーで覆うようにし、他の部分はキャブの構成部品で覆っているが、全面をカバーで覆ってもかまわない。この場合、エアコンユニット１３の保守作業に必要な部分のカバーが上方のカバーと一体的に取り外される。
【００２６】
次いで、二股状の端部ダクト２２の中央部には、内部に清涼飲料水や弁当等が収納可能な調温収納庫２６（チルト／ホットボックス）が配置されている。この調温収納庫２６には、エアコンユニット１３から導出された可撓性の調温用ホース２７が接続されている。この調温用ホース２７の先端は、調温ガス吹出口２８として調温収納庫２６に向けて開口しており、この調温ガス吹出口２８から調温収納庫２６に冷気または暖気が導入される。なお、調温収納庫２６の位置はこの実施例の場合に限定されず、端部ダクト２２の側面に設けてもよい。
【００２７】
また、調温用ホース２７は、背面ダクトに巻つくように屈曲収納されており、この調温用ホース２７の長さは、カバー２６と端部ダクト２７とを一体的に取り外した際に、調温用ホース２７を調温収納庫２６から取り外す必要がない程度の長さとされている。したがって、エアコンの保守作業が簡易である。
【００２８】
この実施形態の場合には、オペレータの快適性向上のために、調温収納庫２６を設けたが、必ずしも調温収納庫２６を設ける必要はない。
【００２９】
また、この実施形態の場合、調温用ホース２７を調温収納庫２６から取り外す必要がない程度の長さとし、エアコンの保守作業時に調温用ホース２７を取り外さないで済むようにしてあるが、保守作業性は劣るが、調温用ホース２７の長さを短くしたり可撓性のない配管とし、エアコンの保守作業時に調温用ホース２７を取り外すようにしてもよい。
【００３０】
なお、上述した実施形態は油圧ショベルの例を示したが、本発明は油圧ショベルにその適用が限定されるものではない。例えば、ニブラーを備えた解体作業機やブレーカを備えた砕石作業機等にも適用できる。
【００３１】
【発明の効果】
以上述べたように本発明では、フィルター類の交換・清掃や電装部品の調整といった保守作業をする際に、背面ダクトとカバーとを非常に容易かつ短時間で取り外すことができる。これにより、エアコンの保守作業を従来に比べて飛躍的に容易にすることできる。
【００３２】
また、請求項２に係る発明では、調温収納庫に冷たい清涼飲料や暖かい弁当等を保管しておくことができ、建設機械のオペレータの利便性を高めることができる。さらに、カバーと背面ダクトとを一体的に取り外した際に調温用ホースを調温収納庫から取り外す必要がないので、エアコンの保守作業の簡単さを低下させることがない。
【図面の簡単な説明】
【図１】本発明が適用された油圧ショベルのキャブのエアコン部分を示す側面図である。
【図２】本発明が適用された油圧ショベルのキャブのエアコン部分を示す正面図である。
【図３】本発明が適用される建設機械の一例としての油圧ショベルの側面図である。
【図４】従来におけるキャブの内部配置を模式的に示した説明図である。
【符号の説明】
１１  フロアプレート
１２  キャブ
１３  エアコンユニット
１４  運転席
２０  基部ダクト（背面ダクトの一部）
２２  端部ダクト（背面ダクトの一部）
２４  カバー
２６  調温収納庫
２７  調温用ホース
【図１】
0003587711.tif 000002
【図２】
0003587711.tif 000003
【図３】
0003587711.tif 000004
【図４】
0003587711.tif 000005